(57)【特許請求の範囲】
【請求項１】
第１ガスと治療効果のある治療用ガスを第１比率で混合した第１混合ガスを生成する第１混合ガス生成部と、
前記第１比率とほぼ同程度の第２比率で第２ガスと前記治療用ガスを混合した第２混合ガスを生成する第２混合ガス生成部と、
前記第１混合ガスと前記第２混合ガスを混合した混合ガスを生成する混合部と、を有し、
前記第１ガスは、空気、酸素、窒素、二酸化炭素、アルゴン、ヘリウムのいずれか、またはこれ等の混合ガスであり、
前記第２ガスは前記第１ガスとは異なる種類のガスであって、空気、酸素、窒素、二酸化炭素、アルゴン、ヘリウムのいずれか、またはこれ等の混合ガスである、治療用ガス供給装置。
【請求項２】
前記治療用ガスは、水素、一酸化炭素、硫化水素、一酸化窒素のいずれか、またはこれ等の混合ガスである、
ことを特徴とする請求項１に記載の治療用ガス供給装置。
【請求項３】
前記治療用ガスは水素であり、
水を電気分解することによって前記治療用ガスを生成する治療用ガス生成部を備える、
ことを特徴とする請求項１に記載の治療用ガス供給装置。
【請求項４】
前記混合部は、前記第１混合ガスと前記第２混合ガスを混合する前に、前記第１混合ガス及び前記第２混合ガスの前記治療用ガスの濃度を検出し、濃度異常がある場合には混合処理を一時停止する、
ことを特徴とする請求項１〜３のいずれか１項に記載の治療用ガス供給装置。
【請求項５】
第１ガスと治療効果のある治療用ガスを第１比率で混合した第１混合ガスを収蔵した第１タンクと、
前記第１比率とほぼ同程度の第２比率で第２ガスと前記治療用ガスを混合した第２混合ガスを収蔵した第２タンクと、
前記第１混合ガスと前記第２混合ガスを混合した混合ガスを生成する混合部と、
を備え、
前記第１ガスは、空気、酸素、窒素、二酸化炭素、アルゴン、ヘリウムのいずれか、またはこれ等の混合ガスであり、
前記第２ガスは前記第１ガスとは異なる種類のガスであって、空気、酸素、窒素、二酸化炭素、アルゴン、ヘリウムのいずれか、またはこれ等の混合ガスである、治療用ガス供給装置。
【請求項６】
治療用ガス供給装置と外部装置を備えるシステムであって、
前記治療用ガス供給装置は、
第１ガスと治療効果のある治療用ガスを第１比率で混合した第１混合ガスを生成する第１混合ガス生成部と、
前記第１比率とほぼ同程度の第２比率で第２ガスと前記治療用ガスを混合した第２混合ガスを生成する第２混合ガス生成部と、
前記第１混合ガスを前記外部装置に供給する第１接続口と、
前記第２混合ガスを前記外部装置に供給する第２接続口と、を備え、
前記外部装置は、前記第１混合ガスと前記第２混合ガスを混合した混合ガスを生成し、
前記第１ガスは、空気、酸素、窒素、二酸化炭素、アルゴン、ヘリウムのいずれか、またはこれ等の混合ガスであり、
前記第２ガスは前記第１ガスとは異なる種類のガスであって、空気、酸素、窒素、二酸化炭素、アルゴン、ヘリウムのいずれか、またはこれ等の混合ガスである、システム。
【請求項７】
第１混合ガスと第２混合ガスを混合した混合ガスを生成する外部装置に接続する治療用ガス供給装置であって、
第１ガスと治療効果のある治療用ガスを第１比率で混合したガスを前記第１混合ガスとして生成する第１混合ガス生成部と、
前記第１比率とほぼ同程度の第２比率で第２ガスと前記治療用ガスを混合したガスを前記第２混合ガスとして生成する第２混合ガス生成部と、
前記第１混合ガスを前記外部装置に供給する第１接続口と、
前記第２混合ガスを前記外部装置に供給する第２接続口と、を備え、
前記第１ガスは、空気、酸素、窒素、二酸化炭素、アルゴン、ヘリウムのいずれか、またはこれ等の混合ガスであり、
前記第２ガスは前記第１ガスとは異なる種類のガスであって、空気、酸素、窒素、二酸化炭素、アルゴン、ヘリウムのいずれか、またはこれ等の混合ガスである、治療用ガス供給装置。
【発明の詳細な説明】
【技術分野】
【０００１】
本発明は治療用ガス供給装置に関する。
【背景技術】
【０００２】
近年、一酸化窒素（ＮＯ）、硫化水素（Ｈ２Ｓ）、一酸化炭素（ＣＯ）、水素（Ｈ２）等の気体状分子に各種の治療効果があることが報告されている(例えば特許文献１、非特許文献１、非特許文献２)。一般的にこれらの気体状分子は、空気や酸素と混合されて人体に吸入される。気体状分子は、空気や酸素に対して数ＰＰＭから数％の割合で混合される。
【０００３】
人体に投与する混合ガスは、治療用ガス（上述の一酸化炭素等）を空気等と一定の比率で混合したものである。当該混合ガスは、例えばガスボンベに圧縮されて収蔵される。呼吸器等の装置は、自発呼吸のある患者に対し、このガスボンベの圧を適切に調節して混合ガスを被験者の人体に吸入させる。
【０００４】
自発呼吸のできない患者に対して治療を行う場合、人工呼吸器の呼吸回路に対して混合ガスを供給する。そして人工呼吸器は、呼吸回路を介して混合ガスを患者の体内に送り込む。または人工呼吸器の圧縮空気（または圧縮酸素）の入力口に混合ガスが収蔵されたガスボンベを接続してもよい。そして人工呼吸器は、送出機構を介して患者の体内に混合ガスを送り込む。
【０００５】
なお、上述の治療用ガス（気体状分子）は、ガスボンベに収蔵されていてもよく、ある種の発生装置により発生させてもよい。例えば呼吸器等の内部に純水を電気分解して水素を発生させる発生装置が設けられていてもよい。
【０００６】
このような治療用ガス（気体状分子）を用いた技術として、例えば特許文献２が挙げられる。特許文献２は、鼻孔吸入方式で水素ガスを体内に供給する吸入方法及び装置を開示している。
【先行技術文献】
【特許文献】
【０００７】
【特許文献１】特許第５１０６１１０号公報
【特許文献２】特開２００５−８７２５７号公報
【非特許文献】
【０００８】
【非特許文献１】大澤郁朗  著、「水素分子医学の現状と展望」、２０１１年２月８日、基礎老化研究  35(1),p.1-8
【非特許文献２】市瀬  史  等、「徹底分析シリーズ  ガスメディエータの未来」、ＬｉＳＡ  ＶＯＬ．１９，ＮＯ．１２，p.1263-1299
【発明の概要】
【発明が解決しようとする課題】
【０００９】
ところで、ある種の疾病の治療では、患者の状態に応じて吸入させる混合ガスの酸素濃度を変化（約２０％〜約１００％）させる場合がある。このような治療を行う患者に対して上述の治療用ガス（気体状分子）を吸入させる場合について検討する。この場合、例えば治療用ガスが所定比率で混合された混合ガス（例えば治療用ガス濃度２％の混合ガス）のガスボンベと、純酸素（１００％酸素）のガスボンベと、を用いて装置を構成することが考えられる。しかしながら患者に吸入させる酸素濃度を変更した場合、治療用ガスの濃度も変化してしまう。例えば純酸素の入ったガスボンベからの供給量を増加させた（酸素濃度を高くした）場合、治療用ガスの濃度が低くなってしまう。
【００１０】
なお上述の問題は酸素濃度を変化させる場合に限られず、治療用ガスを含有する混合ガスと他のガスを混合させる場合に生じるものである。すなわち、治療用ガス以外の気体分子の濃度が変わるような混合ガスを生成する場合に、当該混合ガス内における治療用ガスの濃度を所定範囲内に保つことが難しいという問題があった。
【課題を解決するための手段】
【００１１】
本発明にかかる治療用ガス供給装置の一態様は、
第１ガスと治療効果のある治療用ガスを第１比率で混合した第１混合ガスを生成する第１混合ガス生成部と、
前記第１比率と一定差以内の第２比率で第２ガスと前記治療用ガスを混合した第２混合ガスを生成する第２混合ガス生成部と、
を有するものである。
【００１２】
第１比率と第２比率は、一定差以内の比率である。そのため第１混合ガスと第２混合ガスは、治療用ガスがほぼ同程度の割合で含まれたガスとなる。よって、第１混合ガスと第２混合ガスを治療用ガス供給装置の内外で混合して生成した混合ガスについても所望の割合で治療用ガスが含まれたものとなる。これにより疾病治療の目的によって治療用ガス以外のガス（例えば酸素）の濃度を変化させるような場合であっても、患者に供給される混合ガスには治療用ガスが所望の割合で配合された状態となる。
【発明の効果】
【００１３】
上記構成によれば、治療用ガス以外の気体分子の濃度が変わるような混合ガスを生成する場合に、当該混合ガス内における治療用ガスの濃度を所定範囲内に保つことができる治療用ガス供給装置を提供することができる。
【図面の簡単な説明】
【００１４】
【図１】実施の形態１にかかる治療用ガス供給装置１の構成を示すブロック図である。
【図２】実施の形態１にかかる治療用ガス生成部１０の構成を示すブロック図である。
【図３】実施の形態１にかかる治療用ガス供給装置１が生成する混合ガスの濃度変化を示す概念図である。
【図４】実施の形態１にかかる治療用ガス供給装置１の変形構成を示すブロック図である。
【図５】実施の形態２にかかる治療用ガス供給装置１の構成を示すブロック図である。
【発明を実施するための形態】
【００１５】
＜実施の形態１＞
以下、図面を参照して本発明の実施の形態について説明する。図１は、本実施の形態にかかる治療用ガス供給装置１の構成を示すブロック図である。治療用ガス供給装置１は、治療用ガス生成部１０、送気口１１、送気口１２、第１混合ガス生成部１３、第２混合ガス生成部１４、及び混合部１５を有する。
【００１６】
送気口１１には、患者の体内に供給され得る吸入ガスである第１ガスが入力される。第１ガスは、例えば空気、酸素（Ｏ２）、窒素（Ｎ２）、二酸化炭素（ＣＯ２）、アルゴン（Ａｒ）、ヘリウム（Ｈｅ）のいずれか、またはこれ等の混合ガスである。以下の説明では、第１ガスが空気（窒素約７８％、酸素約２１％、等）であるものとする。
【００１７】
送気口１２には、患者の体内に供給され得る吸入ガスである第２ガスが入力される。第２ガスは、第１ガスとは異なる種類のガスであって、例えば空気、酸素（Ｏ２）、窒素（Ｎ２）、二酸化炭素（ＣＯ２）、アルゴン（Ａｒ）、ヘリウム（Ｈｅ）のいずれか、またはこれ等の混合ガスである。以下の説明では、第２ガスが酸素（１００％の純酸素）であるものとする。
【００１８】
治療用ガス生成部１０は、治療用ガス供給装置１の内部において治療用ガスを生成する。治療用ガスとは、患者に対する治療効果のあるガスである。治療用ガスは、例えば水素（Ｈ２）、一酸化炭素（ＣＯ）、硫化水素（Ｈ２Ｓ）、一酸化窒素（ＮＯ）のいずれか、またはこれ等の混合ガスである。以下の説明では、治療用ガスが水素であるものとする。
【００１９】
図２は、治療用ガス生成部１０の詳細構成の一例を示すブロック図である。本例での治療用ガス生成部１０は、水（Ｈ２Ｏ）を電気分解することにより酸素（Ｏ２）及び水素（Ｈ２）を生成するものである。治療用ガス供給装置１は、純水がタンク１０２から電解槽１０１に供給される。なお純水は、電解槽１０１に満杯にならないように供給される。なおタンクに純水が収蔵されている形態に限られず、タンクに水道水等が格納されており、当該水道水等の不純物を取り除く機構（イオン交換樹脂等）が設けられていてもよい。
【００２０】
電解槽１０１は、陽極１０３が設けられた陽極室１０４と、陰極１０５が設けられた陰極室１０６と、に区画される。
【００２１】
陽極１０３及び陰極１０５は、図示するような長尺な棒状に形成され、例えば酸化チタン電極を用いることが好ましい。酸化チタン電極は、例えばチタン（Ｔｉ）、酸化チタン（ＴｉＯ２）、ニッケル（Ｎｉ）、鉄（Ｆｅ）、クロム（Ｃｒ）、白金（Ｐｔ）等の粉末を用いて粉末冶金により形成してもよい。また酸化チタン電極は、ステンレス棒で形成した電極芯材の周りにチタン（Ｔｉ）及び酸化チタン（ＴｉＯ２）を粉末冶金により吸着させて形成することもできる。
【００２２】
陽極１０３及び陰極１０５には、定電流源１０７が接続されている。定電流源１０７は、陽極１０３及び陰極１０５に対して電流を供給する。これにより治療用ガス生成部１０は、水素ガス（Ｈ２）及び酸素ガス（Ｏ２）を生成する。
【００２３】
陽極室１０４の上部には酸素ガスが排出される排出口１０８が設けられている。なお排出口１０８は、装置外部と通じていればよい。すなわち酸素ガスは、外部に放出される構成であればよい。勿論、酸素ガスを内部処理する機構が設けられている構成であってもよい。
【００２４】
陰極室１０６の上部には水素ガスが排出される排出口１０９が設けられている。なお排出口１０９は、図示するように気体乾燥部１１０に連結する構成であってもよい。気体乾燥部１１０は、陰極室１０６から排出された水素ガスを乾燥させた後に第１混合ガス生成部１３及び第２混合ガス生成部１４に供給する。気体乾燥部１１０は、例えばシリカゲル等から構成されていればよい。なお図２の構成は、電気分解によって水素ガスを発生する構成の一態様であり、水素ガスを安全に発生できる構成であればこの他の手法（例えば異なる化合物を用いた電気分解）を用いてもよい。
【００２５】
再び図１を参照する。水素（治療用ガス）が治療用ガス生成部１０から第１混合ガス生成部１３及び第２混合ガス生成部１４に供給される。第１混合ガス生成部１３は、空気（第１ガス）と水素（治療用ガス）を第１比率で混合した第１混合ガスを生成する。第１比率とは、空気と水素の混合比率であって、患者に対する水素の治療効果が高い比率である。第１比率は、例えば９８：２である（すなわち水素の濃度が２％となる比率である）。なお第１比率はある程度の幅のあるものであってもよい。すなわち第１比率は、９７．５〜９８．５：２．５〜１．５といったものであってもよい。水素が治療用ガスである場合には、第１比率が１〜４：９９〜９６の間に収まることが望ましい。
【００２６】
第１混合ガス生成部１３は、マスフローコントローラ（ＭＦＣ）１３１及びマスフローコントローラ（ＭＦＣ）１３２を備える。マスフローコントローラ１３１は、第１比率に応じて空気の流量を調整する。同様にマスフローコントローラ１３２は、第１比率に応じて水素の流量を調整する。空気（マスフローコントローラ１３１の出力）と水素（マスフローコントローラ１３２の出力）は、配管１３３において混合される。これにより第１比率で空気と水素が配合された第１混合ガスが生成される。第１混合ガスは、配管１３３を介して混合部１５に供給される。
【００２７】
なおマスフローコントローラ１３１及びマスフローコントローラ１３２は、空気と水素を混合するための処理部の一例に過ぎない。そのため別方式の流量制御系及び流量検出系を用いて第１混合ガスを生成しても構わない。
【００２８】
第２混合ガス生成部１４は、酸素（第２ガス）と水素（治療用ガス）を第２比率で混合した第２混合ガスを生成する。第２比率とは、酸素と水素の混合比率であって、患者に対する水素の治療効果が高い比率である。また第２比率とは、第１比率と一定差以内の比率であり、好適には第１比率と同じである。例えば第１比率が９８：２である場合、第２比率として許容される比率は例えば９７．５〜９８．５：２．５〜１．５であり、好適には９８：２である。また第１比率が９７．５〜９８．５：２．５〜１．５である場合、第２比率として許容される比率は例えば９７〜９９：３〜１であり、好適には９７．５〜９８．５：２．５〜１．５である。
【００２９】
第２混合ガス生成部１４は、マスフローコントローラ（ＭＦＣ）１４１及びマスフローコントローラ（ＭＦＣ）１４２を備える。マスフローコントローラ１４１は、第２比率に応じて水素の流量を調整する。同様にマスフローコントローラ１４２は、第２比率に応じて酸素の流量を調整する。水素（マスフローコントローラ１４１の出力）と酸素（マスフローコントローラ１４２の出力）は、配管１４３において混合される。これにより第２比率で酸素と水素が配合された第２混合ガスが生成される。第２混合ガスは、配管１４３を介して混合部１５に供給される。
【００３０】
なおマスフローコントローラ１４１及びマスフローコントローラ１４２は、酸素と水素を混合するための処理部の一例に過ぎない。そのため別方式の流量制御系及び流量検出系を用いて第２混合ガスを生成しても構わない。
【００３１】
なお第１混合ガス生成部１３は、混合済みの第１混合ガスを一時的に収蔵するタンクを有する構成であってもよい。同様に第２混合ガス生成部１４は、混合済みの第２混合ガスを一時的に収蔵するタンクを有する構成であってもよい。
【００３２】
混合部１５には、第１混合ガス及び第２混合ガスが供給される。ここで第１混合ガスは、水素と空気が第１比率で混合されたガスである。また第２混合ガスは、水素と酸素が第２比率（好適には第１比率と同じ比率）で混合されたガスである。混合部１５は、第１混合ガスと第２混合ガスを混合した混合ガスを出力する。ここで混合部１５は、例えば図示するようなマスフローコントローラ１５１及びマスフローコントローラ１５２を有し、指定された酸素濃度に設定された混合ガスを出力する。酸素濃度は、おおよそ２１％〜９８％に設定できる。医師等は、患者の疾病や状態に応じて筐体上のインターフェイス（図示しないボタン、タッチパネル等）を操作して所望の酸素濃度を入力する。
【００３３】
例えば酸素濃度として３０％が指定された場合、混合部１５は第１混合ガスの混合比率を第２混合ガスよりも多くして混合ガスを生成する。混合部１５が生成した混合ガスは、患者に投与されるガスとなる。例えば混合部１５は、第１混合ガスと第２混合ガスから生成した混合ガスを、チューブを介して患者の鼻口付近に固定されたマスクに供給する。
【００３４】
なお混合部１５は、第１混合ガスと第２混合ガスを混合する前に、第１混合ガス及び第２混合ガスの水素濃度を検出し、濃度異常がある場合には混合処理を一時停止してもよい。これにより、より安全に混合ガスを供給することができると共に、患者にとって治療効果の低い状態でガス投与を行うことを回避できる。
【００３５】
なおマスフローコントローラ１５１及びマスフローコントローラ１５２は、第１混合ガスと第２混合ガスを混合するための処理部の一例に過ぎない。そのため別方式の流量制御系及び流量検出系を用いて混合ガスを生成しても構わない。
【００３６】
図３は、本実施の形態にかかる治療用ガス供給装置１の生成する混合ガス（混合部１５の出力する混合ガス）の構成比を示すグラフである。図３の例では第１比率及び第２比率が共に９８：２であるものとしている。図示するように酸素濃度を変化させた場合（マスフローコントローラ１５１、１５２によって濃度制御した場合）であっても、水素濃度は約２％のまま変化しない。すなわち酸素濃度を変化させた場合であっても治療効果のある水素の濃度を変えることなく、混合ガスを患者に供給することができる。これにより、患者に対して常に効果の高い治療を行うことができる。
【００３７】
続いて本実施の形態にかかる治療用ガス供給装置１の効果について説明する。第１混合ガス生成部１３は、上述のように第１ガスと治療用ガスを第１比率で混合した第１混合ガスを生成する。第２混合ガス生成部１４は、上述のように第２ガスと治療用ガスを第２比率で混合した第２混合ガスを生成する。ここで第１比率と第２比率は、一定差以内の比率（好適には等しい比率）である。そのため第１混合ガスと第２混合ガスは、治療用ガスがほぼ同程度が含まれたガスとなる。また第１比率と第２比率は、治療用ガスの治療効果が高くなる比率に設定される。そのため混合部１５が第１混合ガスと第２混合ガスを混合して生成した混合ガスについても所望の割合で治療用ガスが含まれたものとなる。これにより疾病治療の目的によって治療用ガス以外のガスの濃度を変化させるような場合であっても、患者に供給される混合ガスに治療用ガスが所望の割合で配合された状態となる。
【００３８】
なお治療用ガスは、例えば水素、一酸化炭素、硫化水素、一酸化窒素のいずれか、またはこれ等の混合ガスである。これ等のガスは、患者への治療効果がいずれも明らかとなっている。
【００３９】
また第１ガスや第２ガスは、水素、一酸化炭素、硫化水素、一酸化窒素のいずれか、またはこれ等の混合ガスである。これ等のガスは、配合濃度等を間違えなければ何れも患者への吸入ガスとすることができるものであり、人体に悪影響を与えることが少ない。
【００４０】
（変形例）
図４は、図１に示す治療用ガス供給装置１の変形例を示すブロック図である。本変形例にかかる治療用ガス供給装置１は、図１の構成と比べて混合部１５を有さない構成である。第１混合ガス生成部１３は、第１接続口１６と配管（またはチューブ）を介して接続する。第２混合ガス生成部１４は、第２接続口１７と配管（またはチューブ）を介して接続する。
【００４１】
第１接続口１６は、第１混合ガス生成部１３と接続するとともに人工呼吸器２の第３接続口２１と接続する。第２接続口１７は、第２混合ガス生成部１４と接続するとともに人工呼吸器２の第４接続口２２と接続する。すなわち第１混合ガス生成部１３は、第１接続口１６及び第３接続口２１を介して第１混合ガスを人工呼吸器２に供給する。同様に第２混合ガス生成部１４は、第２接続口１７及び第４接続口２２を介して第２混合ガスを人工呼吸器２に供給する。
【００４２】
人工呼吸器２は、第１混合ガス及び第２混合ガスを混合して患者に供給する混合ガスを生成する。この場合であっても、第１混合ガス及び第２混合ガスの水素濃度は所望の濃度（例えば２％）となる。よって人工呼吸器２が第１混合ガスと第２混合ガスを混合して患者に投与するための混合ガスを生成した場合、当該混合ガスの水素濃度は一定範囲内（約２％）となる。これにより人工呼吸器２は、治療用ガスを治療効果の高い濃度で配合した混合ガスを患者に供給することができる。
【００４３】
なお人工呼吸器２は、治療用ガス供給装置１から第１混合ガス及び第２混合ガスの供給を受ける外部装置の一態様であり、この他の種類の装置であっても構わない。また治療用ガス供給装置１と人工呼吸器２の接続形態も図４の形態に限られず、この他の接続方法で接続してもよい。
【００４４】
＜実施の形態２＞
本実施の形態にかかる治療用ガス供給装置１は、すでに混合済みの第１混合ガス及び第２混合ガスを内蔵していることを特徴とする。以下、本実施の形態にかかる治療用ガス供給装置１の構成について説明する。なお図中において実施の形態１と同様の処理部名称及び符号を付した処理部については、特に説明が無い限り実施の形態１と同様とする。また第１ガスは空気、第２ガスは酸素、治療用ガスは水素であるものとする。
【００４５】
図５は、本実施の形態にかかる治療用ガス供給装置１の構成を示すブロック図である。本実施の形態にかかる治療用ガス供給装置１は、図１の構成の第１混合ガス生成部１３及び第２混合ガス生成部１４に代わって、第１タンク１８及び第２タンク１９を有する。
【００４６】
第１タンク１８は、上述の第１混合ガスが収蔵されたタンクである。すなわち第１タンク１８には、空気（第１ガス）と水素（治療用ガス）が第１比率で混合されたガスが収蔵されている。第１タンク１８は、例えば医療用の圧縮ガスを収蔵するガスボンベであればよい。
【００４７】
同様に第２タンク１９は、上述の第２混合ガスが収蔵されたタンクである。すなわち第２タンク１９には、酸素（第２ガス）と水素（治療用ガス）が第２比率で混合されたガスが収蔵されている。第２タンク１９は、例えば医療用の圧縮ガスを収蔵するガスボンベであればよい。
【００４８】
混合部１５は、実施の形態１と同様に第１混合ガスと第２混合ガスを混合した混合ガスを生成して患者に投与すればよい。混合部１５は、例えば内部にマスフローコントローラ（ＭＦＣ）１５１及びマスフローコントローラ１５２を備える構成であればよい。マスフローコントローラ１５１が第１混合ガスの流量を調整し、マスフローコントローラ１５２が第２混合ガスの流量を調節する。これにより混合部１５から出力される混合ガスの酸素濃度が調整される。
【００４９】
上述の構成であっても混合部１５が出力する混合ガスの水素濃度（治療用ガスの濃度）は、一定範囲内のものとなる（図３参照）。これにより、疾病治療の目的によって酸素濃度を変化させるような場合であっても、患者に供給される混合ガスに水素が所望の割合で配合された状態となる。
【００５０】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５１】
最後に治療用ガス供給装置１のハードウェア構成等についても簡単に説明する。各マスフローコントローラの制御等の処理は、各種の電気回路及びソフトウェアプログラムによって実現される。すなわち治療用ガス供給装置１は、内部に記憶装置（キャッシュメモリ等の一次記憶装置、ハードディスク等の二次記憶装置）、ＣＰＵ（Central Processing Unit）等を有する構成である。
【符号の説明】
【００５２】
１  治療用ガス供給装置
１０  治療用ガス生成部
１１、１２  送気口
１３  第１混合ガス生成部
１４  第２混合ガス生成部
１５  混合部
１６  第１接続口
１７  第２接続口
１８  第１タンク
１９  第２タンク
２  人工呼吸器
２１  第３接続口
２２  第４接続口
【図１】
0006461727.tif 000002
【図２】
0006461727.tif 000003
【図３】
0006461727.tif 000004
【図４】
0006461727.tif 000005
【図５】
0006461727.tif 000006